(57)【要約】【課題】演奏者による演奏状態に応じて自動的に鍵域分割位置を変更制御すること。【解決手段】この鍵域分割装置では、複数の鍵Ｃ１〜Ｃ６から成る鍵盤１４ｋは、鍵域分割位置Ｓ＝Ｓａ〜Ｓｃにより複数の鍵域Ｋα，Ｋβに分割され、各鍵域Ｋα，Ｋβには個別の楽音制御特性α，βが割り当てられ、手検出部によって鍵盤１４ｋ上における演奏者の手ＡＬ，ＡＲ；…；Ｌ，Ｒの位置が検出される。そして、演奏者の鍵盤演奏に伴い検出される手の位置に応じて鍵域分割位置Ｓが動的に制御され、例えば、鍵盤中央部の２つの手ＡＲ，ＢＬ或いは左右の手Ｌ，Ｒの中間に自動的に設定される（ａ２，ｂ２）。また、左右の手Ｒ，Ｌをクロスさせて本来とは異なる位置関係になると、新たな鍵域Ｋα，Ｋβには楽音制御特性β、αが入替え設定される。さらに、二人演奏の場合、特定演奏者の特定種類の手（例えば、ＡＲ）の位置を優先して鍵域分割位置Ｓを設定することもできる。【選択図】図３
2006337487.tif 000002
【特許請求の範囲】
【請求項１】
複数の鍵から成る鍵盤と、
鍵域分割位置により分割される鍵盤の各鍵域に対応して個別の楽音制御特性を割り当てる特性割当て手段と、
鍵盤上における演奏者の手の位置を検出する手検出手段と、
手検出手段により検出された複数の手の位置に応じて鍵域分割位置を制御する鍵域制御手段と
を具備することを特徴とする鍵域分割装置。
【請求項２】
前記手検出手段は、さらに、演奏者の手の種類を検出し、
前記鍵域制御手段は、前記手検出手段により一方の種類の手が他の種類の手を越えたことが検出されたときに、前記鍵域特性割当て手段により各鍵域に割り当てられた楽音制御特性を入れ替える
ことを特徴とする請求項１に記載の鍵域分割装置。
【請求項３】
前記手検出手段は、さらに、複数の演奏者の手の種類を検出し、
前記鍵域制御手段は、前記手検出手段により検出された特定の演奏者の特定種類の手の位置を優先して鍵域分割位置を制御する
ことを特徴とする請求項１又は２に記載の鍵域分割装置。
【請求項４】
複数の鍵から成る鍵盤を具備するコンピュータに、
鍵域分割位置により分割される鍵盤の各鍵域に対応して個別の楽音制御特性を割り当てる特性割当てステップと、
鍵盤上における演奏者の手の位置を検出する手検出ステップと、
手検出ステップで検出された複数の手の位置に応じて鍵域分割位置を制御する鍵域制御ステップと
から成る手順を実行させる鍵域分割プログラム。
【発明の詳細な説明】
【技術分野】
【０００１】
この発明は、鍵域分割位置を自動的に変更する機能を有する鍵域分割装置に関する。
【背景技術】
【０００２】
電子鍵盤楽器の鍵域分割技術については、例えば、特許文献１に示されるように、鍵盤を鍵域分割点（スプリットポイント）で２以上の鍵域に分割し、分割された各鍵域に、異なる音色、音域乃至機能（通常演奏と自動伴奏用和音指定など）を割り当てるものが知られている。ここで、鍵域分割点は、所定の操作子（スプリットポイント指定スイッチ）と分割したい位置の鍵を同時操作することにより指定するようにしている。
【特許文献１】特開２００２−３４１８７１号公報
【０００３】
一方、特許文献２に示されるように、演奏者により操作された鍵の位置に応じて鍵域分割点を動的に制御する技術も知られている。具体的には、分割された各鍵域内において所定ノート（例えば押鍵中のノートのうちもっとも鍵域分割点に近いノート）に着目し、当該着目ノートが更新される毎に鍵域分割点を更新するようにしている。
【特許文献２】特開平９−１６０５５７号公報
【０００４】
しかしながら、特許文献２による技術では、演奏中に鍵域分割点の変更をすることが非常に困難であるため、演奏者が鍵域分割点を気にしながら演奏をする必要があると共に鍵域分割点をまたぐような演奏ができず、演奏の幅を狭めることになる。また、特許文献２による技術では、演奏に応じて自動的に鍵域分割点は更新されるものの、鍵域分割点をまたぐと他の鍵域として扱われてしまうので、鍵域分割点をまたぐような演奏ができず、やはり、演奏の幅を狭める結果となる。
【発明の開示】
【発明が解決しようとする課題】
【０００５】
この発明は、このような事情に鑑み、演奏者による演奏状態に応じて自動的に鍵域分割位置を変更制御することができる鍵域分割装置を提供することを目的とする。
【課題を解決するための手段】
【０００６】
この発明の主たる特徴に従うと、複数の鍵（Ｃ１〜Ｃ６）から成る鍵盤（１４ｋ）と、鍵域分割位置（Ｓ；Ｓａ，Ｓｂ，Ｓｃ）により分割される鍵盤（１４ｋ）の各鍵域（Ｋα，Ｋβ）に対応して個別の楽音制御特性（α，β）を割り当てる特性割当て手段（Ｓ２）と、鍵盤（１４ｋ）上における演奏者の手（ＡＬ，ＡＲ；ＢＬ，ＢＲ；Ｌ，Ｒ）の位置を検出する手検出手段（１８，１０；Ｓ３）と、手検出手段（１８，１０；Ｓ３）により検出された複数の手（ＡＬ〜Ｒ）の位置に応じて鍵域分割位置（Ｓ）を制御する鍵域制御手段（Ｓ４）とを具備する鍵域分割装置（コンピュータ）〔請求項１〕が提供され、複数の鍵（Ｃ１〜Ｃ６）から成る鍵盤（１４ｋ）を具備するコンピュータ（電子音楽装置、鍵域分割装置）に、鍵域分割位置（Ｓ；Ｓａ〜Ｓｃ）により分割される鍵盤（１４ｋ）の各鍵域（Ｋα，Ｋβ）に対応して個別の楽音制御特性（α，β）を割り当てる特性割当てステップ（Ｓ２）と、鍵盤（１４ｋ）上における演奏者の手（ＡＬ〜Ｒ）の位置を検出する手検出ステップ（Ｓ３）と、手検出ステップ（Ｓ３）で検出された複数の手（ＡＬ〜Ｒ）の位置に応じて鍵域分割位置（Ｓ）を制御する鍵域制御ステップ（Ｓ４）とから成る手順を実行させる鍵域分割プログラム〔請求項４〕が提供される。なお、括弧書きは、理解の便のために付記した実施例の対応する参照記号や用語等を表わす。
【０００７】
この発明による鍵域分割装置においては、手検出手段（１８，１０；Ｓ３）は、さらに、演奏者の手（Ｌ，Ｒ）の種類を検出し、鍵域制御手段（Ｓ４）は、手検出手段（１８，１０；Ｓ３）により一方の種類の手（例えば、Ｌ）が他の種類の手（例えば、Ｒ）を越えたことが検出されたときに、鍵域特性割当て手段（Ｓ２）により各鍵域（Ｋα，Ｋβ）に割り当てられた楽音制御特性（α，β）を入れ替える〔請求項２〕ように構成することができる。また、手検出手段は、さらに、複数の演奏者（Ａ，Ｂ）の手（ＡＬ，ＡＲ；ＢＬ，ＢＲ）の種類を検出し、鍵域制御手段（Ｓ４）は、手検出手段（１８，１０；Ｓ３）により検出された特定の演奏者の特定種類の手（例えば、左側演奏者Ａの右手ＡＲや右側演奏者Ｂの左手ＢＬ）の位置を優先して鍵域分割位置（Ｓ）を制御する〔請求項３〕ように構成することができる。
【発明の効果】
【０００８】
この発明の主たる特徴（請求項１，４）によると、複数の鍵（Ｃ１〜Ｃ６）から成る鍵盤（１４ｋ）は、鍵域分割位置（Ｓ）により複数の鍵域（Ｋα，Ｋβ）に分割され、各鍵域（Ｋα，Ｋβ）には個別の楽音制御特性（α，β）が割り当てられる。また、鍵盤（１４ｋ）上における演奏者の手（ＡＬ〜Ｒ：図３）の位置が手検出手段（１８，１０）により検出され、手検出手段により検出された複数の手（ＡＬ〜Ｒ）の位置に応じて鍵域分割位置（Ｓ）が制御され、例えば、中央に位置する２つの手（ＡＲ，ＢＬ；Ｒ，Ｌ）の中間に自動的に設定される。この発明によれば、このように、演奏者の手の位置を検出し、検出された手の位置に応じて鍵域分割位置（鍵域分割点、スプリットポイント）を動的に制御するように構成しているので、演奏者がそれまでの鍵域分割位置をまたぐような演奏をしても、それに応じて鍵域分割位置が適切に変更され、幅広い演奏が可能となる。
【０００９】
また、この発明による鍵域分割装置では、手の種類及び手の位置を検出し、検出された手の種類と手の位置に応じて鍵域分割位置を動的に制御することができる。１つの特徴（請求項２）によると、手検出手段（１８，１０）は更に演奏者の手（Ｌ，Ｒ）の種類をも検出する機能を有し、この機能により、例えば、左右の手（Ｒ，Ｌ）をクロスさせて本来の配置関係とは異なる位置に移動したときのように、一方の種類の手（例えば、左手Ｌ）が他の種類の手（例えば、右手Ｒ）を越えたことが検出されたときには、これに応じて鍵域分割位置（Ｓ）が制御され、例えば、これらの手（Ｒ，Ｌ）の中間に自動的に設定されると共に、この鍵域分割位置（Ｓ）で分割される新たな鍵域（Ｋα，Ｋβ）には、それまで各鍵域（Ｋβ，Ｋα）に割り当てられていた楽音制御特性（β、α）が入替え設定される。従って、演奏者の左右の手の動きに対応して各鍵域に適切な楽音制御特性を割り当てることができる。
【００１０】
別の特徴（請求項３）によると、手検出手段（１８，１０）は更に複数の演奏者（Ａ，Ｂ）の手（ＡＬ，ＡＲ；ＢＬ，ＢＲ）の種類をも検出する機能を有し、この機能により検出された特定の演奏者の特定種類の手（例えば、左側演奏者Ａの右手ＡＲ或いは右側演奏者Ｂの左手ＢＬ）の位置を優先して鍵域分割位置（Ｓ）を制御し、例えば、左側演奏者（Ａ）の右手（ＡＲ）が移動したときはこの右手（ＡＲ）よりも右側に鍵域分割位置（Ｓｂ）が設定され、或いは、右側の演奏者（Ｂ）の左手（ＢＬ）が移動したときにはこの左手（ＢＬ）よりも左側に鍵域分割位置Ｓｂが設定される。従って、複数の演奏者の左右の手の動きに応じて鍵域分割位置が適切に変更され、幅広い演奏を行うことができる。
【発明を実施するための最良の形態】
【００１１】
〔システムの概要〕
この発明による鍵域分割装置の機能が組み込まれる電子音楽装置は、鍵域分割処理を含む音楽情報処理機能を有する一種のコンピュータであり、典型的には、電子ピアノや電子オルガン、電子キーボード、電子制御機能付きピアノ等の所謂「電子楽器」で構成されるが、鍵盤装置が外付けされ所定の音楽情報処理機能を有するパーソナルコンピュータ等の汎用の情報処理装置を用いることもできる。
【００１２】
図１は、この発明の一実施例による電子音楽装置のハードウエア構成ブロック図を示す。この電子音楽装置は、中央処理装置（ＣＰＵ）１、ランダムアクセスメモリ（ＲＡＭ）２、読出専用メモリ（ＲＯＭ）３、外部記憶装置４、演奏操作検出回路５、設定操作検出回路６、表示回路７、音源回路８、効果回路９、画像認識装置１０、ＭＩＤＩインターフェース（Ｉ／Ｆ）１１、通信インターフェース（Ｉ／Ｆ）１２などを備え、これらの要素１〜１２はバス１３を介して互いに接続される。
【００１３】
ＣＰＵ１は、所定の制御プログラムに従い、タイマによるクロックを利用して鍵域分割処理を含む種々の音楽情報処理を実行する。ＲＡＭ２は、これらの処理に際して必要な各種データを一時記憶するためのワーク領域として用いられる。また、ＲＯＭ３には、これらの処理を実行するために、鍵域分割プログラムを含む各種制御プログラム、プリセットされた鍵域分割用データや演奏データ等が予め記憶される。
【００１４】
外部記憶装置４は、ハードディスク（ＨＤ）等の内蔵記憶媒体の外に、コンパクトディスク・リード・オンリィ・メモリ（ＣＤ−ＲＯＭ）、フレキシブルディスク（ＦＤ）、光磁気（ＭＯ）ディスク、ディジタル多目的ディスク（ＤＶＤ）、スマートメディア（登録商標）等の小型メモリカード、等々、種々の可搬性の外部記録媒体を含み、任意の外部記憶装置４に任意のデータを記憶することができる。
【００１５】
演奏操作検出回路５は、鍵盤（１４ｋ：図２参照）やエクスプレッションペダル（１４ｐ：図２参照）などを含む演奏操作子１４の操作内容を検出し、設定操作検出回路６は、スイッチやマウス等の設定操作子（パネル操作子）１５の操作内容を検出し、それぞれ、検出内容に対応する情報をシステム本体に導入する。例えば、設定操作子１５には、鍵域分割処理開始／終了スイッチや、初期鍵域分割位置指定機能の割当てが可能なスイッチ、鍵盤１４ｋの各鍵域に楽音制御特性を設定するための鍵域特性設定スイッチが含まれる。
【００１６】
表示回路７は、演奏や設定に必要な各種画面を表示するＬＣＤ等のディスプレイ１６や、その他の各種インジケータ／ランプ（図示せず）を備え、これらの表示・点灯内容をＣＰＵ１からの指令に従って制御し、操作子１４，１５の操作に対する表示援助を行う。
【００１７】
音源回路８は、鍵盤１４ｋの演奏操作に基いて操作鍵に対応する楽音信号を生成し、効果回路９は、効果付与ＤＳＰを有し、音源回路８からの楽音信号に効果を付与し、何れの回路もソフトウエアを含ませることができる。両回路８，９は、楽音信号生成部を構成し、鍵盤１４ｋの各鍵域に対応して設定されている楽音制御特性を含む各種楽音制御パラメータに基づく楽音信号を生成する。また、この楽音信号生成部８，９は，記憶手段３，４に記憶された演奏データに基づいて自動伴奏の楽音信号を生成することもできる。効果回路９に後置されたサウンドシステム１７は、Ｄ／Ａ変換部やアンプ、スピーカを備え、効果回路９からの楽音信号に基づく楽音を発生する。
【００１８】
画像認識装置１０は、これに接続される撮像装置１８と共に手検出部を構成する。撮像装置１８は、例えば、図２のように、２つの撮像カメラ１８ａ，１８ｂによってこの電子音楽装置の鍵盤１４ｋを左右の上方から撮像する。撮像カメラ１８ａ，１８ｂにより撮像された鍵盤１４ｋと演奏者の手とを含む画像データは、撮像装置１８から画像認識装置１０に送られ、画像認識装置１０は、画像データを解析して鍵盤演奏を行っている演奏者の手の種類と鍵盤１４ｋ上の位置を検出し、検出された手の種類及び手の位置を表わす手種類情報及び手位置情報をシステム本体に導入することができる。
【００１９】
また、ＭＩＤＩＩ／Ｆ１１には他のＭＩＤＩ音楽機器３０が接続され、他の音楽機器３０との間でＭＩＤＩ演奏データを授受し、この電子音楽装置で利用することができる。さらに、通信Ｉ／Ｆ１２には、インターネットやローカルエリアネットワーク（ＬＡＮ）などの通信ネットワーク４０が接続され、外部のサーバコンピュータ５０等から制御プログラムや各種データ等を受信し外部記憶装置４に保存することができる。
【００２０】
〔手検出装置の配置例〕
この発明の一実施例による電子音楽装置上には、撮像カメラ等の手検出装置が備えられる。図２の例では、既述のように、鍵盤１４ｋの両端上方に位置する２台の撮像カメラ１８ａ，１８ｂが手検出装置として用いられる。各カメラ１８ａ，１８ｂは、電子音楽装置筐体上にそれぞれ設置され、鍵盤１４ｋの全鍵域を撮像可能である。なお、赤外線カメラは生体像を明確に撮影することができるので、撮像カメラ１８ａ，１８ｂには赤外線カメラを用いることが好ましい。画像認識装置１０は、従来から知られている画像認識技術を応用して、各カメラ１８ａ，１８ｂで撮像された画像を解析し、各指の配置、手の大きさ、指の長さ、指の太さ、肌の色などにより、演奏者の右手か左手か、或いは、第１演奏者の手か第２演奏者の手か等々の「手の種類」、並びに、これらの手がそれぞれ位置する鍵盤上の夫々の「手の位置」を検出する。
【００２１】
なお、手検出装置の設置位置については、図２のように電子音楽装置の筐体の一部でもよいし、筐体から固定的或いは着脱可能にアームを延設し、当該アーム上に手検出装置を設置してもよい。また、手の種類及び手の位置の検出には、カメラ以外の手検出装置を用いてもよい。
【００２２】
〔鍵域分割の例〕
この発明の一実施例による電子音楽装置においては、鍵域自動分割機能によって、手検出装置により演奏者の手の種類及び位置が検出されると、検出された手の種類及び位置に応じて鍵域分割位置（Ｓ）を動的に制御することができる。図３は、この発明の一実施例による鍵域分割の一例を示す。なお、以下の説明では、スプリットポイントを示す鍵域分割位置Ｓ（Ｓａ〜Ｓｃ）は、高音高側鍵域Ｋβの最低音高鍵で表わすものとする。
【００２３】
ここで、この発明の一実施例による電子音楽装置の特徴を図３に従って簡単に説明しておくと、次のとおりである：この電子音楽装置（鍵域分割装置）では、複数の鍵Ｃ１〜Ｃ６から成る鍵盤１４ｋは、鍵域分割位置Ｓ＝Ｓａ，Ｓｂ，Ｓｃにより複数の鍵域Ｋα，Ｋβに分割され、各鍵域Ｋα，Ｋβには、それぞれ、個別の楽音制御特性α，βが割り当てられ、手検出部１８、１０によって鍵盤１４ｋ上における演奏者の手ＡＬ，ＡＲ；…；Ｌ，Ｒの位置が検出される。そして、演奏者の鍵盤演奏に伴い検出される手の位置に応じて鍵域分割位置Ｓが動的に制御され、例えば、鍵盤中央部の２つの手ＡＲ，ＢＬ或いは左右の手Ｌ，Ｒの中間に自動的に設定される（ａ２，ｂ２）。また、左右の手Ｒ，Ｌをクロスさせて本来とは異なる位置関係になると、新たな鍵域Ｋα，Ｋβには楽音制御特性β、αが入替え設定される。さらに、二人演奏の場合には、特定演奏者の特定種類の手（例えば、演奏者Ａの右手ＡＲ）の位置を優先して鍵域分割位置Ｓを設定することもできる。
【００２４】
以下、より詳しく説明する。図３（ａ）は、二人の演奏者Ａ，Ｂが鍵盤演奏する二人演奏モードの場合における鍵域分割例を示す。（ａ１）の状態では、鍵盤１４ｋを演奏する左右の演奏者Ａ，Ｂのほぼ中央の位置Ｓａ（Ｆ３）に鍵域分割位置Ｓが設定され、鍵盤１４ｋの全鍵域（図では、Ｃ１〜Ｃ６）は左鍵域Ｋα（＝Ｃ１〜Ｅ３）と右鍵域Ｋβ（＝Ｆ３〜Ｃ６）の２つに分割されている。各鍵域には、個別の楽音制御特性α，βが割り当てられ、例えば、各鍵域Ｋα，Ｋβを先生用及び生徒用に用い、楽音制御特性α，βとして、個別の音域（例：左鍵域Ｋαのみ各鍵本来の音高から２オクターブだけ上げる）と個別の音色パラメータ（例：異なるピアノ音色）を設定することができる。このため、両演奏者Ａ，Ｂの手ＡＬ・ＡＲ，ＢＬ・ＢＲが夫々の鍵域Ｋα，Ｋβに置かれて各演奏者Ａ，Ｂが各鍵域Ｋα，Ｋβで鍵盤演奏をしている間は、この鍵域分割位置Ｓａが維持され、対応する夫々の楽音制御特性α，βに従った楽音信号が楽音生成部８，９から生成される。
【００２５】
ここで、例えば、（ａ２）のように、左の演奏者Ａの右手ＡＲがその時点の鍵域分割位置Ｓａをまたいだ状態になると、鍵域分割位置Ｓは位置Ｓｂに自動更新される。つまり、（ａ２）の例では、左鍵域Ｋαで演奏する演奏者Ａの右手ＡＲが分割位置Ｓａ（＝Ｆ３）以上の右鍵域に移動したことが、カメラ１８ａ，１８ｂを含む手検出部１８，１０で検出されると、移動した演奏者Ａの右手ＡＲの位置と右隣の演奏者Ｂの左手ＢＬの位置に応じて新たな鍵域分割位置Ｓ＝Ｓｂ（例えば、Ｂ３）が設定される。従って、楽音制御特性（音域及び音色パラメータ）α，βの割当ては、新たな分割位置Ｓｂ（＝Ｂ３）で定まる各分割鍵域Ｋα（＝Ｃ１〜Ａ♯３），Ｋβ（＝Ｂ３〜Ｃ６）に自動的に変更され、左の演奏者Ａが元の分割位置Ｓａをまたいで鍵盤演奏したにも拘わらず、元の左鍵域Ｋαに対応する楽音制御特性αに従った楽音信号を生成することができる。
【００２６】
なお、図示しないが、以後も、左右の演奏者Ａ，Ｂの手が、その時点で設定されている鍵域分割位置Ｓをまたいだ状態になる毎に、鍵域自動分割機能により、分割位置をまたいで移動した手の位置に応じて新たな鍵域分割位置Ｓが設定される。
【００２７】
図３（ｂ）は、一人の演奏者が鍵盤演奏する一人演奏モードの場合における鍵域分割例を示す。（ｂ１）の状態では、鍵盤１４ｋには、これを演奏する演奏者のほぼ中央の位置Ｓａ（Ｆ３）に鍵域分割位置Ｓが設定され、全鍵域（Ｃ１〜Ｃ６）が左鍵域Ｋα（＝Ｃ１〜Ｅ３）と右鍵域Ｋβ（＝Ｆ３〜Ｃ６）の２つに分割されている。各鍵域には、個別の楽音制御特性α，βが割り当てられ、楽音制御特性α，βには、例えば、左鍵域Ｋαにはベース音色、右鍵域Ｋβにはピアノ音色というように、異なる音色パラメータが設定される。このため、演奏者が左右の手Ｌ，Ｒを夫々の鍵域Ｋα，Ｋβに置いて演奏を行っている間は、この鍵域分割位置Ｓａ（＝Ｆ３）が維持され、対応する夫々の楽音制御特性α，βに従った楽音信号が楽音生成部８，９から生成される。
【００２８】
ここで、例えば、（ｂ２）のように、演奏者の右手Ｒがその時点の鍵域分割位置Ｓ＝Ｓａをまたいだ状態になると、鍵域分割位置Ｓは新たな位置Ｓｂに自動更新される。つまり、（ｂ２）の例では、右鍵域Ｋβで演奏する右手Ｒが分割位置Ｓａ（＝Ｆ３）を超えて左鍵域に移動したことが手検出部１８，１０で検出されると、移動した演奏者の右手Ｒの位置に応じて新たな鍵域分割位置Ｓ＝Ｓｃ（例えば、Ｇ２）が設定される。従って、楽音制御特性（音色パラメータ）α，βの割当ては、新たな分割位置Ｓｃ（＝Ｇ２）で定まる新たな各分割鍵域Ｋα（＝Ｃ１〜Ｆ♯２），Ｋβ（＝Ｇ２〜Ｃ６）に自動的に変更され、右手Ｒが元の分割位置Ｓａをまたいで鍵盤演奏したにも拘わらず、元の右鍵域Ｋβに対応する楽音制御特性βに従った楽音信号を生成することができる。
【００２９】
なお、図示しないが、以後も、演奏者の左右の手がその時点の鍵域分割位置Ｓをまたいだ状態になる毎に、鍵域自動分割機能により、分割位置をまたいで移動した手の位置に応じて新たな鍵域分割位置Ｓが設定される。
【００３０】
（ａ２），（ｂ２）のように、単に、４つの手ＡＬ，ＡＲ；ＢＬ，ＢＲのうち中央にある２つの手ＡＲ、ＢＬの間（二人演奏）や、２つの手Ｌ，Ａの間（一人演奏）に分割位置Ｓｂ，Ｓｃを設定するだけの場合には、手検出部１８，１０は、手の種類を検出する必要はなく、手の位置だけを検出すればよい。しかしながら、手の種類をも検出するように構成すれば、特定種類の手の動きを優先して鍵域分割位置Ｓを設定したり、分割された各鍵域Ｋα，Ｋβに割り当てる楽音制御特性α，βを入れ替えたりすることができる。
【００３１】
例えば、図３（ａ）のように二人演奏モードで各演奏者Ａ，Ｂが両手演奏する場合、左右の演奏者Ａ，Ｂの右手ＡＲ，ＢＲ及び左手ＡＬ，ＢＬを認識することができるようにしておけば、左側の演奏者Ａの右手ＡＲがどの位置にあっても、右手ＡＲよりも右側に鍵域分割位置Ｓｂを設定したり、或いは、右側の演奏者Ｂの左手ＢＬがどの位置にあっても、左手ＢＬよりも左側に鍵域分割位置Ｓｂを設定するというように、特定の演奏者の特定種類の手の動きに優先的に応答して鍵域分割位置Ｓｂを設定することができる。
【００３２】
また、手の種類即ち右手Ｒ；ＡＲ，ＢＲ及び左手Ｌ；ＡＬ，ＢＬを識別することができるようにしておけば、手の種類が本来の配置とは異なるように手を動かしたときに、分割された各鍵域Ｋα，Ｋβに割り当てられた楽音制御特性α，βを入れ替えることができる。例えば、一人演奏モードで左右の手Ｒ，Ｌをクロスさせたときには、これらの手Ｒ，Ｌの中間に鍵域分割位置Ｓが設定変更されると共に、それまで左鍵域（左手演奏に対応）Ｋαに割り当てられていた楽音制御特性αを右鍵域Ｋβに設定し、かつ、それまで右鍵域（右手演奏に対応）Ｋβに割り当てられていた楽音制御特性βを左鍵域Ｋαに設定して、楽音制御特性α，βを入れ替えることができる。このような楽音制御特性α，βの入替えは、二人演奏モードにおいて、左右の演奏者Ａ，Ｂに対応する２つの鍵域Ｋα，Ｋβの夫々を左右の手に対応して更に２分割した場合にも（演奏者Ａ，Ｂの４つの手ＡＬ，ＡＲ，ＢＬ，ＢＲに対応して全鍵域を４分割）、同様に適用することができる。
【００３３】
〔鍵域分割処理フロー例〕
図４は、この発明の一実施例による鍵域分割処理の手順を表わすフローチャートである。図４において、設定操作子１５中の鍵域分割処理開始スイッチの操作によりこの処理フローがスタートすると、ＣＰＵ１は、まず、最初のステップＳ１において、鍵盤１４ｋに対して鍵域分割位置Ｓを初期設定する。この場合、初期設定される鍵域分割位置Ｓについては、予め定められたデフォルト分割位置データを用いたり、設定操作子１５中で初期鍵域分割位置指定機能が割り当てられた操作子と鍵盤１４ｋ中で鍵域分割位置Ｓとすべき鍵とを同時に操作して決定したり、１乃至複数の演奏者が手を鍵盤１４ｋ上に置き、図３（ａ２），（ｂ２）で説明した分割位置の自動更新設定方法と同様に、複数の手の中間に分割位置を設定する等、任意の方法を採用することができる。
【００３４】
なお、鍵域分割位置Ｓは、初期設定された後も設定変更されるようになっているので、適切な表示手段により、随時、演奏者に報知するように構成しておくことが好ましい。この場合、表示手段としては、ディスプレイ１６上に表示される鍵盤画像に鍵域分割位置Ｓ又は各鍵域を表示してもよいし、鍵盤１４ｋの各鍵に対応してランプを設け、鍵域分割位置Ｓ又は各鍵域に対応するランプを点灯するようにしてもよい。
【００３５】
次のステップＳ２では、設定操作子１５中の鍵域特性設定スイッチを用いて、分割された各鍵域に個別の楽音制御特性を割り当てる。例えば、各分割鍵域には、個別の音色を割り当てる外、個別の音域を割り当てたり、或いは通常演奏と自動伴奏用の和音指定などといった個別の機能を割り当てることができる。また、例えば、個別の音色及び個別の音域を同時に各分割鍵域に割り当てる等、複数の楽音制御特性を各鍵域に割り当ててもよい。
【００３６】
更に次のステップＳ３では、手の種類及び位置又は手の位置を検出し、続くステップＳ４において、検出された手の種類及び位置又は手の位置に応じて、鍵域分割位置Ｓを更新し、更新された鍵域分割位置Ｓに基づく各鍵域に所定の楽音制御特性を割り当てる。ここで、手の種類及び位置を検出するか或いは手の位置だけを検出するかは、要求される鍵域分割特性に依存する。
【００３７】
例えば、ステップＳ３において、図３のように、単に、二人演奏モードにおいて４つの手のうち中央の２つ手の間に鍵域分割位置を設定したり、或いは、一人演奏モードで２つの手の間に鍵域分割位置を設定するだけであれば、手の種類を検出する必要はなく、手の位置だけを検出する。
【００３８】
しかしながら、ステップＳ３で手の種類も検出するように構成すれば、ステップＳ４では、既に説明したように、手の種類に応じて分割位置を設定したり（例えば、二人演奏の場合、図３（ａ２）のように、左側演奏者Ａの右手ＡＲがどの位置にあっても、当該右手ＡＲの位置を優先して、右手ＡＲよりも右側に分割位置Ｓｂを設定する等）、手の種類が本来の配置とは異なるように手を動かしたときには、分割された各鍵域に割り当てる楽音制御特性を入れ替える（例えば、図３（ｂ）の場合に左右の手Ｌ，Ｒをクロスさせたときなどに、右鍵域Ｋβに左手に割り当てた楽音制御特性αを設定し、左鍵域Ｋαに右手に割り当てた楽音制御特性βを設定する等）ことが可能になる。
【００３９】
その後、ステップＳ５に進んで、鍵盤１４ｋに対する押離鍵操作がなされたか否かを判定し、押離鍵操作がなされないときは（Ｓ５→ＮＯ）、ステップＳ３に戻り、上述したステップＳ３〜Ｓ５の動作を繰り返す。また、押離鍵操作がなされたときは（Ｓ５→ＹＥＳ）。ステップＳ６に進んで、操作された鍵が属する鍵域に割り当てられている楽音制御特性に従い、楽音信号生成部８，９を通じて楽音制御を行い、その後ステップＳ７に進む。
【００４０】
ステップＳ７では、設定操作子１５中の鍵域分割処理終了スイッチの操作がなされたか否かを判定し、このような終了操作がない間は（Ｓ７→ＮＯ）、ステップＳ３に戻り、上述したステップＳ３〜Ｓ７の動作を繰り返す。そして、終了操作があったときには（Ｓ７→ＹＥＳ）この処理を終了する。
【００４１】
〔種々の実施態様〕
以上、図面を参照しつつこの発明の好適な実施の一形態について説明したが、これは単なる一例であって、この発明は、発明の精神を逸脱しない範囲で種々の変更が可能である。例えば、鍵域分割数については、実施例では鍵域分割位置（スプリットポイント）を１つとして２鍵域に分割する具体例を示したが、鍵域分割位置を２以上の任意数として３以上の任意の鍵域に分割することができる。
【００４２】
また、４以上の鍵域に分割する場合には、３以上の鍵域分割位置のうちの一部は、従来の方法と同様に、初期鍵域分割位置指定機能が割り当てられた操作子と鍵域分割位置Ｓとすべき鍵との操作により設定し、残りの鍵域分割位置について、この発明の方法により複数の手の中間に分割位置を設定するようにしてもよい。また、鍵の数は、Ｃ１〜Ｃ６の６１鍵に限らず、これより多くてもよいし、少なくてもよい。
【００４３】
また、分割された各鍵域に割り当てる楽音制御特性は、異なる音色、異なる音域、異なる機能（通常演奏と自動伴奏用の和音指定など）に限らない。また、例えば、異なる音色及び音域を割り当てる等のように、複数の楽音制御特性を各鍵域に割り当ててもよい。
【００４４】
鍵域分割位置の設定方法については、実施例〔図３（ａ２），（ｂ２）〕では、新たな分割位置〔Ｓｂ，Ｓｃ〕を当該分割位置両側の手〔図３（ａ２）では、左側演奏者Ａの右側の手ＡＲと右側演奏者Ｂの左側の手ＢＬ、図３（ｂ２）では、各手Ｌ，Ｒ〕の中央に設定するものとしたが、新たな分割位置は、当該分割位置両側の手（２人の場合は左側演奏者の右側の手と右側演奏者の左側の手、１人の場合は各手）の間のどの位置に設定してもよい。例えば、実施例のように、両側の手の中央に設定する外に、両側のうちの左側の手のすぐ右側に設定したり、両側の手のうちの右側の手のすぐ左などに設定することができる。また、鍵域分割位置の設定に関して、このような複数種類の位置のうちの何れかを演奏者が選択できるようにしてもよい。
【００４５】
また、実施例〔図３（ａ２），（ｂ２）〕では、分割位置〔Ｓａ：図３（ａ１），（ｂ１）〕をまたぐように手を動かした場合について説明したが、分割位置をまたがない状態で手を動かした場合にも分割位置を更新してもよいことはもちろんである。なお、またがない状態であれば、分割位置を更新しなくても楽音制御の結果は変わらないため、更新しなくてもよい。
【図面の簡単な説明】
【００４６】
【図１】この発明の一実施例による電子音楽装置のハードウエア構成を表わすブロック図である。
【図２】この発明の一実施例による手検出装置の配置例を表わす図である。
【図３】この発明の一実施例による鍵域分割の例を表わす図である。
【図４】この発明の一実施例による鍵域分割処理の手順例を表わすフローチャートである。
【符号の説明】
【００４７】
１８  撮像カメラ１８ａ，１８ｂを有する撮像装置（手検出装置）、
ＡＬ，ＢＬ，Ｌ；ＡＲ，ＢＲ，Ｒ  左手及び右手、
Ｋα，Ｋβ  鍵域分割位置Ｓ；Ｓａ〜Ｓｃで鍵盤１４ｋに分割設定される左及び右鍵域。
【図１】
2006337487.tif 000003
【図２】
2006337487.tif 000004
【図３】
2006337487.tif 000005
【図４】
2006337487.tif 000006